【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  顕微鏡の光学像と他画像を同一の顕微鏡の接眼レンズを通して観察するようにした実体顕微鏡において、顕微鏡画像の一部領域を遮断して前記他画像を表示すると共に、前記遮断された領域の面積を変化させるようにしたことを特徴とする実体顕微鏡。
【請求項２】  顕微鏡の光学像と他画像を同一の顕微鏡の接眼レンズを通して観察するようにした実体顕微鏡において、顕微鏡画像の一部領域を遮断して前記他画像を表示すると共に、前記遮断された領域に表示する他画像の大きさを変化させるようにしたことを特徴とする実体顕微鏡。
【請求項３】  顕微鏡の光学像と他画像を同一の顕微鏡の接眼レンズを通して観察するようにした実体顕微鏡において、顕微鏡の光学系とは別に前記他画像を表示する表示素子と投影光学系が設けられ、該投影光学系の他画像を前記顕微鏡光学系の視野内に挿入する他画像挿入部材を備え、該他画像挿入部材を前記顕微鏡光学系の光路中で移動させる移動機構を備えたことを特徴とする実体顕微鏡。
【請求項４】  顕微鏡の光学像と他画像を同一の顕微鏡の接眼レンズを通して観察するようにした実体顕微鏡において、顕微鏡の光学系とは別に前記他画像を表示する表示素子と投影光学系が設けられ、該投影光学系の光路を前記顕微鏡光学系の光路に結合する光路合成部材を備え、前記投影光学系が変倍光学系を備えていることを特徴とする実体顕微鏡。
【請求項５】  顕微鏡と他画像を同一の顕微鏡の接眼レンズを通して観察する実体顕微鏡において、顕微鏡像の一部領域を遮断して前記他画像を表示すると共に、前記遮断された領域の面積を変化させ、更に前記遮断された領域に表示する他画像の大きさを変化させるようにしたことを特徴とする実体顕微鏡。
【請求項６】  顕微鏡と他画像を同一の顕微鏡の接眼レンズを通して観察する実体顕微鏡において、顕微鏡像の一部領域を遮断して前記他画像を表示すると共に、前記遮断された領域に表示される他画像の中心と前記顕微鏡像の中心との距離が変化せしめられ得るようにしたことを特徴とする実体顕微鏡。
【請求項７】  前記顕微鏡像の中心が移動可能であるようにしたことを特徴とする請求項６に記載の実体顕微鏡。
【請求項８】  顕微鏡像と他画像を同一の顕微鏡の接眼レンズを通して観察する実体顕微鏡において、顕微鏡光学系とは別に前記他画像を表示する表示素子と投影光学系が設けられ、該投影光学系の他画像を前記顕微鏡光学系の視野内に挿入する他画像挿入部材と、該他画像挿入部材を前記顕微鏡光学系の光路中で移動させる移動手段と、前記投影光学系内に設けられた変倍光学系とを備えたことを特徴とする実体顕微鏡。
【請求項９】  前記顕微鏡光学系の光路中に、該光学系の光軸を移動させる光学部材を配置したことを特徴とする請求項８に記載の実体顕微鏡。
【請求項１０】  前記光路結合手段によって結合された前記投影光学系の光軸は、前記顕微鏡光学系の光軸と平行であって、該顕微鏡光学系の光軸と距離を隔て前記接眼レンズに入射するようにしたことを特徴とする請求項８に記載の実体顕微鏡。
【請求項１１】  前記投影光学系の光軸が前記表示素子と交わる位置が、前記表示素子の中心と異なる位置にあるようにしたことを特徴とする請求項８に記載の実体顕微鏡。
【請求項１２】  前記光路合成部材が、光偏向機能を有することを特徴とする請求項８に記載の実体顕微鏡。
【請求項１３】  顕微鏡の光学像と他画像を同一の顕微鏡の接眼レンズを通して観察するようにした実体顕微鏡において、顕微鏡の光学系とは別に設けられた照明光学系と該照明光学系の照明光を前記顕微鏡光学系の光路に導く光路合成部材と、前記顕微鏡光学系の光路中に配置された前記光学像と他画像を表示する表示素子を備えたことを特徴とする実体顕微鏡。
【請求項１４】  顕微鏡の光学像と他画像を同一の顕微鏡の接眼レンズを通して観察するようにした実体顕微鏡において、顕微鏡の光学系とは別に前記他画像を表示する表示素子と投影光学系が設けられ、該投影光学系の光路を前記顕微鏡光学系の光路に結合する光路合成部材を備え、該光路合成部材が光偏向機能を有することを特徴とする実体顕微鏡。
【手続補正２】
【補正対象書類名】明細書
【補正対象項目名】０００９
【補正方法】変更
【補正の内容】
【０００９】
また、本発明による実体顕微鏡は、顕微鏡の光学像と他画像を同一の顕微鏡の接眼レンズを通して観察するようにした実体顕微鏡において、顕微鏡の光学系とは別に前記他画像を表示する表示素子と投影光学系が設けられ、該投影光学系の光路を前記顕微鏡光学系の光路に結合する光路合成部材を備え、前記投影光学系が変倍光学系を備えていることを特徴としている。
また、本発明による実体顕微鏡は、顕微鏡と他画像を同一の顕微鏡の接眼レンズを通して観察する実体顕微鏡において、顕微鏡像の一部領域を遮断して前記他画像を表示すると共に、前記遮断された領域の面積を変化させ、更に前記遮断された領域に表示する他画像の大きさを変化させるようにしたことを特徴としている。
また、本発明による実体顕微鏡は、顕微鏡と他画像を同一の顕微鏡の接眼レンズを通して観察する実体顕微鏡において、顕微鏡像の一部領域を遮断して前記他画像を表示すると共に、前記遮断された領域に表示される他画像の中心と前記顕微鏡像の中心との距離が変化せしめられ得るようにしたことを特徴としている。
また、本発明による実体顕微鏡は、前記顕微鏡像の中心が移動可能であるようにしたことを特徴としている。
また、本発明による実体顕微鏡は、顕微鏡像と他画像を同一の顕微鏡の接眼レンズを通して観察する実体顕微鏡において、顕微鏡光学系とは別に前記他画像を表示する表示素子と投影光学系が設けられ、該投影光学系の他画像を前記顕微鏡光学系の視野内に挿入する他画像挿入部材と、該他画像挿入部材を前記顕微鏡光学系の光路中で移動させる移動手段と、前記投影光学系内に設けられた変倍光学系とを備えたことを特徴としている。
また、本発明による実体顕微鏡は、前記顕微鏡光学系の光路中に、該光学系の光軸を移動させる光学部材を配置したことを特徴としている。
また、本発明による実体顕微鏡は、前記光路結合手段によって結合された前記投影光学系の光軸は、前記顕微鏡光学系の光軸と平行であって、該顕微鏡光学系の光軸と距離を隔て前記接眼レンズに入射するようにしたことを特徴としている。
また、本発明による実体顕微鏡は、前記投影光学系の光軸が前記表示素子と交わる位置が、前記表示素子の中心と異なる位置にあるようにしたことを特徴としている。
また、本発明による実体顕微鏡は、前記光路合成部材が、光偏向機能を有することを特徴としている。
また、本発明による実体顕微鏡は、顕微鏡の光学像と他画像を同一の顕微鏡の接眼レンズを通して観察するようにした実体顕微鏡において、顕微鏡の光学系とは別に設けられた照明光学系と該照明光学系の照明光を前記顕微鏡光学系の光路に導く光路合成部材と、前記顕微鏡光学系の光路中に配置された前記光学像と他画像を表示する表示素子を備えたことを特徴としている。
更に、本発明による実体顕微鏡は、顕微鏡の光学像と他画像を同一の顕微鏡の接眼レンズを通して観察するようにした実体顕微鏡において、顕微鏡の光学系とは別に前記他画像を表示する表示素子と投影光学系が設けられ、該投影光学系の光路を前記顕微鏡光学系の光路に結合する光路合成部材を備え、該光路合成部材が光偏向機能を有することを特徴としている。